(57)【要約】  本技術は、ＭＦ距離を速やかに調整することができるようにする撮像装置、フォーカス制御方法、およびプログラムに関する。本技術の第１の側面である撮像装置は、フォーカス調整用レンズを含むレンズ部と、前記フォーカス調整用レンズをその可動領域に亘って駆動させる制御部と、前記制御部に対して、前記フォーカス調整用レンズを駆動させるための指示操作を受け付ける操作受付部とを備え、前記操作受付部は、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別して受け付ける。本技術は、デジタルカメラに適用できる。
2018092594.tif 000002
【特許請求の範囲】
【請求項１】
フォーカス調整用レンズを含むレンズ部と、
前記フォーカス調整用レンズをその可動領域に亘って駆動させる制御部と、
前記制御部に対して、前記フォーカス調整用レンズを駆動させるための指示操作を受け付ける操作受付部と
を備え、
前記操作受付部は、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別して受け付ける
撮像装置。
【請求項２】
前記操作受付部は、前記フォーカス調整用レンズをその可動領域で第１の段階数で移動させる第１の指示操作と、前記フォーカス調整用レンズを前記可動領域で前記第１の段階数より多い第２の段階数であって予め設定されている位置に移動させる第２の指示操作とを区別してユーザから受け付ける
請求項１に記載の撮像装置。
【請求項３】
前記制御部は、前記操作受付部により、前記第２の指示操作が受け付けられた場合、前記フォーカス調整用レンズの移動方向に拘わりなく予め設定されている位置に前記フォーカス調整用レンズを移動させる
請求項２に記載の撮像装置。
【請求項４】
前記制御部は、前記操作受付部により、前記第２の指示操作が受け付けられた場合、前記フォーカス調整用レンズの移動方向に応じて予め設定されている異なる位置に前記フォーカス調整用レンズを移動させる
請求項２に記載の撮像装置。
【請求項５】
前記操作受付部は、前記撮像装置の筐体に設けられた複数の押しボタンを有する
請求項２に記載の撮像装置。
【請求項６】
前記操作受付部は、前記撮像装置の筐体に設けられた前記第１の指示操作を入力する左右ボタンと、前記第２の指示操作を入力する上下ボタンを有する
請求項５に記載の撮像装置。
【請求項７】
前記操作受付部は、前記撮像装置との間で接続が確立されている情報処理装置である
請求項２に記載の撮像装置。
【請求項８】
前記操作受付部は、前記情報処理装置のディスプレイと、前記ディスプレイに積層されたタッチパネルを有する
請求項７に記載の撮像装置。
【請求項９】
前記操作受付部は、前記タッチパネルに対するタッチ操作を前記第１の指示操作として受け付け、長押し操作を前記第２の指示操作として受け付ける
請求項８に記載の撮像装置。
【請求項１０】
前記操作受付部は、前記ディスプレイに表示された第１のボタンに対する操作を前記第１の指示操作として受け付け、前記ディスプレイに表示された前記第１のボタンとは異なる第２のボタンに対する操作を前記第２の指示操作として受け付ける
請求項８に記載の撮像装置。
【請求項１１】
フォーカス調整用レンズを含むレンズ部と、
前記フォーカス調整用レンズをその可動領域に亘って駆動させる制御部と、
前記制御部に対して、前記フォーカス調整用レンズを駆動させるための指示操作を受け付ける操作受付部と
を備える撮像装置のフォーカス制御方法において、
前記操作受付部による、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作とを区別して受け付ける受付ステップと、
前記制御部による、前記操作受付部によって前記第１の指示操作が受け付けられた場合には、前記フォーカス調整用レンズを前記第１の段階数で移動させ、前記操作受付部によって前記第２の指示操作が受け付けられた場合には、前記フォーカス調整用レンズを前記第２の段階数で移動させる移動ステップと
を含むフォーカス制御方法。
【請求項１２】
撮像装置に対して、前記撮像装置が備えるフォーカス調整用レンズを駆動させるための指示操作であって、情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別してユーザから受け付け、
ユーザから受け付けた前記第１および第２の指示操作に対応するコマンドを前記撮像装置に送信するよう前記情報処理装置に指示する
プログラム。
【請求項１３】
前記情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数であって予め設定されている位置に移動させる第２の指示操作とを区別してユーザから受け付ける
請求項１２に記載のプログラム。
【請求項１４】
前記情報処理装置のディスプレイに積層されたタッチパネルへのユーザ操作を受け付ける
請求項１３に記載のプログラム。
【請求項１５】
前記タッチパネルに対するタッチ操作を前記第１の指示操作として受け付け、長押し操作を前記第２の指示操作として受け付ける
請求項１４に記載のプログラム。
【請求項１６】
前記ディスプレイに表示された第１のボタンに対する操作を前記第１の指示操作として受け付け、前記ディスプレイに表示された前記第１のボタンとは異なる第２のボタンに対する操作を前記第２の指示操作として受け付ける
請求項１４に記載のプログラム。
【発明の詳細な説明】
【技術分野】
【０００１】
本技術は、撮像装置、フォーカス制御方法、およびプログラムに関し、特に、マニュアルフォーカス時において速やかに合焦できるようにした撮像装置、フォーカス制御方法、およびプログラムに関する。
【背景技術】
【０００２】
従来、デジタルスチルカメラやデジタルビデオカメラ等の大多数の撮像装置には、フォーカスを自動的に調整するオートフォーカス機能（以下、ＡＦ機能と称する）が搭載されている。一方、ＡＦ機能に頼ることなくユーザ自身でフォーカスの調整を行いたいという要望もあり、マニュアルフォーカス（以下、ＭＦと称する）が可能な撮像装置も存在する。【０００３】
例えば、一眼レフカメラ等のようにカメラ本体からレンズが突出している形状の撮像装置では、レンズに設けられたフォーカスリングをユーザが回転させることによりフォーカス調整用レンズが駆動されて、ＭＦ距離（ＭＦによりユーザが任意に調整したフォーカス距離）の調整が行われる。【０００４】
また、例えば、コンパクトデジタルカメラ等のようにカメラ本体からレンズが突出せず、レンズにフォーカスリングを設けることができない撮像装置では、本体に設けられている押しボタンや、ボタンを表示するディスプレイに重畳されたタッチパネルをユーザが押下することにより、ＭＦ距離の調整が行われる（例えば、特許文献１参照）。
【先行技術文献】
【特許文献】
【０００５】
【特許文献１】特開２０１１−１５１７２８号公報
【発明の概要】
【発明が解決しようとする課題】
【０００６】
上述した従来例のように、ＭＦ距離の調整が本体に設けられている押しボタンやタッチパネルに対する操作によって行われる撮像装置では、速やかに合焦できないことがある。【０００７】
本技術はこのような状況に鑑みてなされたものであり、ＭＦ距離を速やかに調整できるようにするものである。
【課題を解決するための手段】
【０００８】
本技術の第１の側面である撮像装置は、フォーカス調整用レンズを含むレンズ部と、前記フォーカス調整用レンズをその可動領域に亘って駆動させる制御部と、前記制御部に対して、前記フォーカス調整用レンズを駆動させるための指示操作を受け付ける操作受付部とを備え、前記操作受付部は、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別して受け付ける。【０００９】
前記操作受付部は、前記フォーカス調整用レンズをその可動領域で第１の段階数で移動させる第１の指示操作と、前記フォーカス調整用レンズを前記可動領域で前記第１の段階数より多い第２の段階数であって予め設定されている位置に移動させる第２の指示操作とを区別してユーザから受け付けることができる。【００１０】
前記制御部は、前記操作受付部により、前記第２の指示操作が受け付けられた場合、前記フォーカス調整用レンズの移動方向に拘わりなく予め設定されている位置に前記フォーカス調整用レンズを移動させることができる。【００１１】
前記制御部は、前記操作受付部により、前記第２の指示操作が受け付けられた場合、前記フォーカス調整用レンズの移動方向に応じて予め設定されている異なる位置に前記フォーカス調整用レンズを移動させることができる。【００１２】
前記操作受付部は、前記撮像装置の筐体に設けられた複数の押しボタンを有することができる。【００１３】
前記操作受付部は、前記撮像装置の筐体に設けられた前記第１の指示操作を入力する左右ボタンと、前記第２の指示操作を入力する上下ボタンを有することができる。【００１４】
前記操作受付部は、前記撮像装置との間で接続が確立されている情報処理装置とすることができる。【００１５】
前記操作受付部は、前記情報処理装置のディスプレイと、前記ディスプレイに積層されたタッチパネルを有することができる。【００１６】
前記操作受付部は、前記タッチパネルに対するタッチ操作を前記第１の指示操作として受け付け、長押し操作を前記第２の指示操作として受け付けることができる。【００１７】
前記操作受付部は、前記ディスプレイに表示された第１のボタンに対する操作を前記第１の指示操作として受け付け、前記ディスプレイに表示された前記第１のボタンとは異なる第２のボタンに対する操作を前記第２の指示操作として受け付けることができる。【００１８】
本技術の第１の側面であるフォーカス制御方法は、フォーカス調整用レンズを含むレンズ部と、前記フォーカス調整用レンズをその可動領域に亘って駆動させる制御部と、前記制御部に対して、前記フォーカス調整用レンズを駆動させるための指示操作を受け付ける操作受付部とを備える撮像装置のフォーカス制御方法において、前記操作受付部による、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作とを区別して受け付ける受付ステップと、前記制御部による、前記操作受付部によって前記第１の指示操作が受け付けられた場合には、前記フォーカス調整用レンズを前記第１の段階数で移動させ、前記操作受付部によって前記第２の指示操作が受け付けられた場合には、前記フォーカス調整用レンズを前記第２の段階数で移動させる移動ステップとを含む。【００１９】
本技術の第１の側面においては、フォーカス調整用レンズをその可動領域内で第１の段階数で移動させる第１の指示操作と、前記フォーカス調整用レンズをその可動領域内で前記第１の段階数より多い第２の段階数で移動させる第２の指示操作とが区別して受け付けられ、前記第１の指示操作が受け付けられた場合には、前記フォーカス調整用レンズが前記第１の段階数で移動され前記第２の指示操作が受け付けられた場合には、前記フォーカス調整用レンズが前記第２の段階数で移動される。【００２０】
本技術の第２の側面であるプログラムは、撮像装置に対して、前記撮像装置が備えるフォーカス調整用レンズを駆動させるための指示操作であって、情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別してユーザから受け付け、ユーザから受け付けた前記第１および第２の指示操作に対応するコマンドを前記撮像装置に送信するよう前記情報処理装置に指示する。【００２１】
前記情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数であって予め設定されている位置に移動させる第２の指示操作とを区別してユーザから受け付けることができる。【００２２】
前記情報処理装置のディスプレイに積層されたタッチパネルへのユーザ操作を受け付けることができる。【００２３】
前記タッチパネルに対するタッチ操作を前記第１の指示操作として受け付け、長押し操作を前記第２の指示操作として受け付けることができる。【００２４】
前記ディスプレイに表示された第１のボタンに対する操作を前記第１の指示操作として受け付け、前記ディスプレイに表示された前記第１のボタンとは異なる第２のボタンに対する操作を前記第２の指示操作として受け付けることができる。【００２５】
本技術の第２の側面においては、撮像装置に対して、前記撮像装置が備えるフォーカス調整用レンズを駆動させるための指示操作であって、情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作が区別してユーザから受け付けられ、ユーザから受け付けた前記第１および第２の指示操作に対応するコマンドが前記撮像装置に送信されるよう前記情報処理装置に指示が行われる。
【発明の効果】
【００２６】
本技術の第１の側面によれば、ＭＦ距離を速やかに調整することができる。【００２７】
本技術の第２の側面によれば、撮像装置のＭＦ距離を速やかに調整することができる。
【図面の簡単な説明】
【００２８】
【図１】本技術を適用した撮像装置の外観図である。
【図２】本技術を適用した撮像装置の構成例を示すブロック図である。
【図３】操作部を用いたＭＦ処理を説明するフローチャートである。
【図４】メニュー画面の表示例を示す図である。
【図５】カスタムボタン設定のための画面の表示例を示す図である。
【図６】拡大表示されたライブビュー画像の表示例を示す図である。
【図７】ユーザの操作に対応するＭＦ距離の移動例を示す図である。
【図８】ユーザの操作に対応するＭＦ距離の移動例を示す図である。
【図９】ユーザの操作に対応するＭＦ距離の移動例を示す図である。
【図１０】拡大表示されたライブビュー画像の表示例を示す図である。
【図１１】情報処理装置の構成例を示すブロック図である。
【図１２】情報処理装置を用いたＭＦ処理を説明するフローチャートである。
【図１３】情報処理装置の画面の表示例を示す図である。
【図１４】情報処理装置の画面の表示例を示す図である。
【図１５】ＭＦ距離調整ボタンの変形例を示す図である。
【発明を実施するための形態】
【００２９】
以下、本技術を実施するための最良の形態（以下、実施の形態と称する）について、図面を参照しながら詳細に説明する。
【００３０】
＜実施の形態である撮像装置について＞
図１は、実施の形態である撮像装置の外観図であり、同図Ａは、該撮像装置を正面側から見た場合、同図Ｂは該撮像装置を背面側から見た場合を示している。
【００３１】
該撮像装置１０は、同図Ａに示されるように、筐体の正面側にレンズ部１１を有する。レンズ部１１は、フォーカス調整用レンズとその駆動部、絞り機構等を備える。さらに、ズーム機構を備えるようにしてもよい。
【００３２】
また、撮像装置１０は、同図Ｂに示されるように、筐体の背面にLCD等から成る表示部１２を有する。表示部１２は、撮像時に構図を確認するためのライブビュー画像や撮像した画像、再生した画像を表示したり、各種の設定画面を表示したりする。
【００３３】
さらに、撮像装置１０は、同図Ａおよび同図Ｂに示されるように、筐体の上面に複数の押しボタンから成る操作部１３を有する。操作部１３には、少なくとも左ボタン１３Ｌ、右ボタン１３Ｒ、上ボタン１３Ｕ、下ボタン１３Ｄ、およびENTERボタン１３Ｅが含まれる。以下、左ボタン１３Ｌ、右ボタン１３Ｒ、上ボタン１３Ｕ、および下ボタン１３Ｄを一括して上下左右ボタンとも称する。ＭＦ時において、上下左右ボタンは、ＭＦによりユーザが任意に調整するフォーカス距離（受付けられたユーザ操作に応じて駆動されるフォーカス調整用レンズの位置変化によって調整される焦点距離を指す。以下、ＭＦ距離と称する）の調整に用いられる。
【００３４】
なお、操作部１３を構成する複数の押しボタンの配置は、筐体の上面に限るものではなく、他の面に配置されていてもよい。また、該複数の押しボタンは、筐体の同一面に配置せず、分散して配置してもよい。例えば、上下左右ボタンを筐体の背面に配置し、ENTERボタン１３Ｅを筐体の上面に配置してもよい。
【００３５】
図２は、撮像装置１０の構成例を示すブロック図である。撮像装置１０は、レンズ部１１、表示部１２、操作部１３、撮像素子２１、画像処理部２２、記録部２３、制御部２４、および通信部２５を有する。
【００３６】
レンズ部１１は、被写体方向からの光を集光して撮像素子２１に入射させる。撮像素子２１は、入射光に応じて光電変換を行い、その結果得られる画素信号を画像処理部２２に出力する。
【００３７】
画像処理部２２は、前段から入力される画素信号に所定の画像処理を行うことによってライブビュー画像を生成して表示部１２に出力、表示させる。また、画像処理部２２は、ユーザからのシャッタ操作に応じ、前段から入力される画素信号に所定の画像処理を行うことによって撮像画像（静止画または動画）を生成して記録部２３に出力、記録させる。また、画像処理部２２は、記録部２３から入力される再生画像（静止画または動画）を表示部１２に出力、表示させる。
【００３８】
記録部２３は、画像処理部２２から入力される撮像画像を所定の記録媒体に記録する。また、記録部２３は、所定の記録媒体に記録されている画像を読み出し、再生画像として画像処理部２２に出力する。
【００３９】
制御部２４は、操作部１３を用いて入力されるユーザからの各種操作に応じ、撮像装置１０の各部を制御する。また、制御部２４は、通信部２５を介して入力される、情報処理装置３０を用いるユーザからの各種操作に応じ、撮像装置１０の各部を制御する。
【００４０】
具体的には、例えば、制御部２４は、ユーザからの操作に対応して操作部１３から入力される操作信号に応じ、レンズ部１１のレンズ駆動部を制御してフォーカス調整用レンズを駆動させることによってＭＦ距離を調整する。
【００４１】
通信部２５は、有線（例えば、USBケーブル等）または無線（例えば、Wi-Fi、Bluetooth（いずれも登録商標）等）を用いて情報処理装置３０と接続して画像や操作信号を通信する。通信部２５は、情報処理装置３０へのユーザの操作によって発生する操作コマンドを有線又は無線を通じて受信する操作受付部ともなり得る。
【００４２】
情報処理装置３０は、撮像装置１０と接続した後、常時、周期的に撮像装置１０からその状態を表す情報（ライブビュー画像、撮像距離、撮像条件等）を取得し、それらの情報を画面に表示する。また、ＭＦ距離調整ボタン１２２（図１３）等をライブビュー画像に重畳して表示する。さらに、情報処理装置３０は、ＭＦ距離調整ボタン１２２に対するユーザの操作に応じた操作信号を撮像装置１０に送信する。
【００４３】
なお、情報処理装置３０は、同時に複数台の撮像装置１０に接続し、複数台の撮像装置１０のＭＦ距離を同時に同じ値に制御するような用途にも用いることができる。
【００４４】
＜操作部１３を用いたＭＦ処理＞
次に、図３は、撮像装置１０における操作部１３を構成する上下左右ボタンを用いたＭＦ処理を説明するフローチャートである。
【００４５】
このＭＦ処理は、撮像装置１０が起動された後に実行される。
【００４６】
ステップＳ１において、ユーザからの所定の操作により、ＭＦが可能なＭＦモードへの遷移が指示されたか否かを判定し、ＭＦモードへの遷移が指示されるまで待機する。このとき、表示部１２には、構図確認用のライブビュー画像（スルー画像）が表示される。
【００４７】
なお、ＭＦモードへの遷移を指示するユーザの操作としては、例えば、メニュー画面を利用したり、任意の押しボタンに対して任意の操作を定義できるカスタムボタン設定を利用したりすることができる。
【００４８】
図４は、メニュー画面の表示例を示している。ユーザは、所定の操作によって図４に示されたメニュー画面を表示させ、メニュー画面の「Set Focus」４１を選択することによりＭＦモードへの遷移を指示することができる。
【００４９】
図５は、操作部１３の下ボタン１３Ｄに対するカスタムボタン設定の画面の表示例を示している。
【００５０】
ユーザは、所定の操作により、図５に示されたカスタムボタン設定の画面を表示させ、該画面の「Set Focus」５１を選択することによって、下ボタン１３Ｄに対してＭＦモードへの遷移を定義することができる。そして、ＭＦモードに遷移していない状態においてユーザは、下ボタン１３Ｄを押下することによりＭＦモードへの遷移を指示することができる。
【００５１】
図３に戻る。ステップＳ１において、ユーザからＭＦモードへの遷移が指示されたと判定された場合、処理はステップＳ２に進められる。ステップＳ２において、表示部１２に表示されているライブビュー画像の所定の領域が拡大される。
【００５２】
図６は、拡大表示されたライブビュー画像の表示例を示している。同図に示されるように、拡大表示されたライブビュー画像には、さらに、操作ボタンの案内６１、ＭＦ距離バー６２、および拡大領域表示部６３が重畳表示される。なお拡大領域の位置は、図６のように画面中央の位置を拡大してもよいし、画面四隅のいずれかの位置を拡大してもよいし、周知の認識技術を用いて検出された主要被写体に対応する位置を拡大してもよい。
【００５３】
操作ボタンの案内６１は、上下左右ボタンおよびENTERボタン１３Ｅによる操作内容を表す。上下左右ボタンは、ＭＦ距離の調整操作に用いられる。ENTERボタン１３ＥはＭＦ距離の確定操作に用いられる。
【００５４】
ＭＦ距離バー６２は、最短ＭＦ距離から無限遠までの間における現在のＭＦ距離を表す。拡大領域表示部６３は、ライブビュー画像のどの領域が拡大されているのかを表す。
【００５５】
ユーザは、ライブビュー画像が拡大表示されることにより、ＭＦ距離を容易に調整することができる。また、ユーザは、操作ボタンの案内６１が表示されることにより、上下左右ボタン等とＭＦの調整の対応を知ることができ、ＭＦ距離バー６２が表示されることにより、現在のＭＦ距離を知ることができる。さらに、ユーザは、拡大領域表示部６３が表示されることにより、ライブビュー画像のどの領域が拡大されているのかを知ることができる。
【００５６】
図７は、ＭＦ処理時おける上下左右ボタンに対する操作に対応するＭＦ距離の移動例を示している。以下の説明に用いるＭＦ距離の「段階」とは、フォーカス調整用レンズの可動領域を所定数に分割したものの１つを指す用語とする。可動領域を所定数に分割するに際しては、等間隔に分割してもよいし、異なる間隔で分割してもよい。
【００５７】
すなわち、同図Ａに示されるように、右ボタン１３Ｒが１回押下される毎に、ＭＦ距離は１段階ずつ撮像装置１０から遠ざかる方向に移動される。反対に、左ボタン１３Ｌが１回押下される毎に、ＭＦ距離は１段階ずつ撮像装置１０に近づく方向に移動される。換言すると、右ボタン１３Ｒが１回押下される毎に、被写体の合焦位置は１段階ずつ撮像装置１０から遠ざかる方向に移動され、左ボタン１３Ｌが１回押下される毎に、被写体の合焦位置は１段階ずつ撮像装置１０に近づく方向に移動される。
【００５８】
また、同図Ｂに示されるように、上ボタン１３Ｕが１回押下される毎に、ＭＦ距離は数段階（予め設定されている２以上の値）ずつ撮像装置１０から遠ざかる方向に移動される。反対に、下ボタン１３Ｄが１回押下される毎に、ＭＦ距離は数段階（予め設定されている２以上の値）ずつ撮像装置１０に近づく方向に移動される。
【００５９】
図３に戻る。ステップＳ３において、ENTERボタン１３Ｅが押下されたか否かが判断される。ENTERボタン１３Ｅが押下されていない場合、処理はステップＳ４に進められる。ステップＳ４において、上下左右ボタンのいずれかが押下されたか否かが判断される。上下左右ボタンのいずれかが押下されたと判断された場合、処理はステップＳ５に進められる。
【００６０】
ステップＳ５において、上下左右ボタンのうち、押下されたボタンに応じてＭＦ距離が移動される。
【００６１】
すなわち、右ボタン１３Ｒが押下された場合、ＭＦ距離が１段階だけ撮像装置１０から遠ざかる方向に移動される。反対に、左ボタン１３Ｌが押下された場合、ＭＦ距離が１段階だけ撮像装置１０に近づく方向に移動される。
【００６２】
また、上ボタン１３Ｕが１回押下された場合、ＭＦ距離が予め設定されている段階数だけ撮像装置１０から遠ざかる方向に移動される。反対に、下ボタン１３Ｄが押下された場合、ＭＦ距離が予め設定されている段階数だけ撮像装置１０に近づく方向に移動される。この後、処理はステップＳ２に戻されて、それ以降の処理が繰り返される。
【００６３】
なお、ステップＳ４において、上下左右ボタンのいずれも押下されていないと判断された場合、処理はステップＳ６に進められる。ステップＳ６において、無操作の状態（上下左右ボタンおよびENTERボタン１３Ｅが押下されない状態）が所定の時間（例えば、３秒間）継続したか否かが判断される。無操作の状態が所定の時間継続していない場合、処理はステップＳ３に戻されて、それ以降の処理が繰り返される。
【００６４】
ステップＳ６において、無操作の状態が所定の時間継続したと判断された場合、処理はステップＳ７に進められる。ステップＳ７において、図８に示されるように、拡大表示されているライブビュー画像の上からＭＦ距離バー６２の重畳表示が消去される。この後、処理はステップＳ３に戻されて、それ以降の処理が繰り返される。
【００６５】
そして、ステップＳ３において、ENTERボタン１３Ｅが押下されたと判断された場合、その時点でのＭＦ距離が確定されて処理はステップＳ１に戻され、それ以降の処理が繰り返される。
【００６６】
以上に説明した、操作部を用いたＭＦ処理によれば、ユーザは、上ボタン１３Ｕまたは下ボタン１３Ｄを押下することにより、ＭＦ距離を大きく移動させることができ、右ボタン１３Ｒまたは左ボタン１３Ｌを押下することにより、ＭＦ距離を微細に調整することができる。したがって、ユーザは、上下左右ボタンにより速やか、且つ、正確にフォーカスを合焦させることが可能となる。
【００６７】
＜変形例＞
図９および図１０は、ＭＦ処理時おける上下左右ボタンに対する操作に対応するＭＦ距離の他の移動例を示している。
【００６８】
図９の例では、同図Ｂに示されるように、上ボタン１３Ｕが１回押下される毎に、ＭＦ距離を撮像装置１０から遠ざかる方向の予め設定している位置に移動するようにする。反対に、下ボタン１３Ｄが１回押下される毎に、ＭＦ距離を撮像装置１０に近づく方向の予め設定している位置（撮像装置１０から遠ざかる方向の時と同じ位置）に移動するようにする。
【００６９】
図１０の例では、同図Ｂに示されるように、上ボタン１３Ｕが１回押下される毎に、ＭＦ距離を撮像装置１０から遠ざかる方向の予め設定している位置に移動するようにする。反対に、下ボタン１３Ｄが１回押下される毎に、ＭＦ距離を撮像装置１０に近づく方向の予め設定している位置（撮像装置１０から遠ざかる方向の時とは異なる位置）に移動するようにする。
【００７０】
なお、ＭＦ処理時おける上下左右ボタンに対する操作に対応するＭＦ距離の移動例は、図７、図９、および図１０に示された例に限るものではなく、上ボタン１３Ｕまたは下ボタン１３Ｄが操作されたときのＭＦ距離の移動量が、右ボタン１３Ｒまたは左ボタン１３Ｌが操作されたときの移動量よりも大きければよい。
【００７１】
また、右ボタン１３Ｒまたは左ボタン１３Ｌが長押し（ボタンの１回押下に比べて押され続ける時間が長いボタン操作）された場合には、上述した上ボタン１３Ｕまたは下ボタン１３Ｄが押下された場合と同様にＭＦ距離を移動させるようにしてもよい。
【００７２】
＜情報処理装置３０の構成例＞
次に、情報処理装置３０を用いたＭＦ処理について説明する。
【００７３】
情報処理装置３０は、有線または無線を用いて撮像装置１０と通信可能なスマートフォン、タブレット型コンピュータ、パーソナルコンピュータ等が想定される。
【００７４】
図１１は、情報処理装置３０の構成例を示すブロック図である。
【００７５】
情報処理装置３０において、CPU（Central Processing Unit）１０１，ROM（Read Only Memory）１０２，RAM（Random Access Memory）１０３は、バス１０４により相互に接続されている。
【００７６】
バス１０４には、さらに、入出力インタフェース１０５が接続されている。入出力インタフェース１０５には、入力部１０６、出力部１０７、記憶部１０８、通信部１０９、およびドライブ１１０が接続されている。
【００７７】
入力部１０６は、ディスプレイに積層されたタッチパネル、マイクロフォンなどよりなる。出力部１０７は、ディスプレイ、スピーカなどよりなる。記憶部１０８は、不揮発性のメモリなどよりなる。通信部１０９は、ネットワークインタフェースなどよりなり、撮像装置１０とデータ通信を行う。ドライブ１１０は、半導体メモリなどのリムーバブルメディア１１１を駆動する。
【００７８】
以上のように構成される情報処理装置３０では、CPU１０１が、例えば、記憶部１０８にインストールされているプログラムを、入出力インタフェース１０５およびバス１０４を介して、RAM１０３にロードして実行することにより、上述した一連の処理が行われる。
【００７９】
情報処理装置３０（CPU１０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【００８０】
＜情報処理装置３０を用いたＭＦ処理＞
次に、図１２は、撮像装置１０に接続された情報処理装置３０を用いたＭＦ処理を説明するフローチャートである。
【００８１】
このＭＦ処理は、撮像装置１０と情報処理装置３０と間で接続が確立された後に実行される。
【００８２】
ステップＳ２１において、情報処理装置３０は、ユーザからの所定の操作により、ＭＦが可能なＭＦモードへの遷移が指示されたか否かを判定し、ＭＦモードへの遷移が指示されるまで待機する。このとき、情報処理装置３０のディスプレイには、構図確認用のライブビュー画像（スルー画像）が表示される。
【００８３】
ユーザからＭＦモードへの遷移が指示されたと判定された場合、処理はステップＳ２２に進められる。ステップＳ２２において、情報処理装置３０のディスプレイに表示されているライブビュー画像にＭＦ距離調整ボタン１２２（図１３）が重畳表示される。
【００８４】
図１３は、撮像装置１０との間で接続が確立された状態の情報処理装置３０のディスプレイに表示される画面の表示例を示している。
【００８５】
該画面１２０には、ライブビュー画像１２１が表示される。さらに、該画面１２０には、シャッタ操作を行うためのシャッタボタン１２４が表示される。また、上述したように、ＭＦモード時には、ライブビュー画像にＭＦ距離調整ボタン１２２が重畳表示される。
【００８６】
ＭＦ距離調整ボタン１２２は、左ボタン１２２Ｌと右ボタン１２２Ｒからなり、タッチされた場合と長押し（タッチされた場合に比べて長い期間タッチパネルを押し続ける操作）された場合とでＭＦ距離の移動幅が異なる。なお、左ボタン１２２Ｌまたは右ボタン１２２Ｒが操作される度に、撮像装置のフォーカス調整用レンズを駆動する量と方向に関するコマンドが情報処理装置で生成され、情報処理装置の送信部から撮像装置の通信部にそのコマンドが送信される。撮像装置はその操作に関するコマンドを受け付けてフォーカス調整用レンズを駆動する。
【００８７】
すなわち、右ボタン１２２Ｒが１回タッチされる毎に、ＭＦ距離は１段階ずつ撮像装置１０から遠ざかる方向に移動される。反対に、左ボタン１２２Ｌが１回タッチされる毎に、ＭＦ距離は１段階ずつ撮像装置１０に近づく方向に移動される。
【００８８】
また、右ボタン１２２Ｒが１回長押しされる毎に、ＭＦ距離は数段階（２以上の予め設定されている値）ずつ撮像装置１０から遠ざかる方向に移動される。反対に、左ボタン１２２Ｌが１回長押しされる毎に、ＭＦ距離は数段階ずつ撮像装置１０に近づく方向に移動される。
【００８９】
図１２に戻る。ステップＳ２３において、シャッタボタン１２４が操作されたか否かが判断される。シャッタボタン１２４が操作されていない場合、処理はステップＳ２４に進められる。ステップＳ２４において、ＭＦ距離調整ボタン１２２の左ボタン１２２Ｌまたは右ボタン１２２Ｒが操作（タッチまたは長押し）されたか否かが判断される。ＭＦ距離調整ボタン１２２のどちらかが操作されたと判断された場合、処理はステップＳ２５に進められる。
【００９０】
ステップＳ２５において、図１４に示されるように、ディスプレイの画面１２０に表示されているライブビュー画像の所定の領域が拡大され、ＭＦ距離調整ボタン１２２に加えて、拡大表示されたライブビュー画像にＭＦ距離バー１２３が重畳表示される。ＭＦ距離バー１２３は、最短ＭＦ距離から無限遠までの間における現在のＭＦ距離を表す。
【００９１】
ステップＳ２６において、ＭＦ距離調整ボタン１２２の左ボタン１２２Ｌまたは右ボタン１２２Ｒのうち、操作されたボタンに応じてＭＦ距離が移動される。
【００９２】
すなわち、右ボタン１２２Ｒがタッチされた場合、ＭＦ距離が１段階だけ撮像装置１０から遠ざかる方向に移動される。反対に、左ボタン１２２Ｌが押下された場合、ＭＦ距離が１段階だけ撮像装置１０に近づく方向に移動される。
【００９３】
また、右ボタン１２２Ｒが長押しされた場合、ＭＦ距離が予め設定されている段階数だけ撮像装置１０から遠ざかる方向に移動される。反対に、左ボタン１２２Ｌ長押しされた場合、ＭＦ距離が予め設定されている段階数だけ撮像装置１０に近づく方向に移動される。この後、処理はステップＳ２３に戻されて、それ以降の処理が繰り返される。
【００９４】
なお、ステップＳ２４において、ＭＦ距離調整ボタン１２２の左ボタン１２２Ｌおよび右ボタン１２２Ｒが操作されていないと判断された場合、処理はステップＳ２７に進められる。ステップＳ２７において、無操作の状態（ＭＦ距離調整ボタン１２２およびシャッタボタン１２４が操作されない状態）が所定の時間（例えば、３秒間）継続したか否かが判断される。無操作の状態が所定の時間継続していない場合、処理はステップＳ２３に戻されて、それ以降の処理が繰り返される。
【００９５】
ステップＳ２７において、無操作の状態が所定の時間継続したと判断された場合、処理はステップＳ２８に進められる。ステップＳ２８において、図１３に示されたように、ライブビュー画像の拡大表示が通常表示（拡大していない表示）に戻されるとともに、ＭＦ距離バー１２３の重畳表示が消去される。この後、処理はステップＳ２３に戻されて、それ以降の処理が繰り返される。
【００９６】
なお、ステップＳ２３において、シャッタボタン１２４が操作されたと判断された場合、処理はステップＳ２９に進められて、撮像装置１０において撮像が行われ、この後、処理はステップＳ２２に戻される。
【００９７】
以上に説明した、情報処理装置３０を用いたＭＦ処理によれば、ユーザは、情報処理装置３０の画面上に表示されるＭＦ距離調整ボタン１２２をタッチまたは長押しすることにより、ＭＦ距離を大きく移動させたり、微細に調整したりすることができる。したがって、ユーザは、ＭＦ距離調整ボタン１２２により速やか、且つ、正確にフォーカスを合焦させることが可能となる。
【００９８】
＜変形例＞
ＭＦ距離調整ボタン１２２を２つのボタンではなく、より多くのボタンから構成するようにしてもよい。
【００９９】
図１５は、ＭＦ距離調整ボタン１２２を４つのボタンから構成した場合の表示例を示している。
【０１００】
同図の場合、ＭＦ距離調整ボタン１２２は、ボタン１３１ＬＬ，１３１Ｌ，１３１Ｒ、および１３１ＲＲから構成される。
【０１０１】
ボタン１３１ＬＬは、１回タッチされる毎に、ＭＦ距離が数段階ずつ撮像装置１０に近づく方向に移動される。ボタン１３１Ｌは、１回タッチされる毎に、ＭＦ距離が１段階ずつ撮像装置１０に近づく方向に移動される。ボタン１３１Ｒは、１回タッチされる毎に、ＭＦ距離が１段階ずつ撮像装置１０から遠ざかる方向に移動される。ボタン１３１ＲＲは、１回タッチされる毎に、ＭＦ距離が数段階（２以上の予め設定されている値）ずつ撮像装置１０から遠ざかる方向に移動される。
【０１０２】
なお、ＭＦ距離調整ボタン１２２を構成するボタン１３１ＬＬ，１３１Ｌ，１３１Ｒ、および１３１ＲＲを、上述した操作部１３における上下左右ボタンと同様に十字方向に配置するようにしてもよい。
【０１０３】
また、ＭＦ距離調整ボタン１２２に対する操作に対応するＭＦ距離の移動は、上述した例に限るものではなく、操作部１３を用いたＭＦ処理と同様に、様々な変形が可能である。
【０１０４】
以上に説明した撮像装置１０は、ユーザの手動操作でフォーカス合わせを行うＭＦモードの他に、撮像装置１０が位相差情報や撮像画像のコントラスト情報を用いて自動に被写体にフォーカス合わせを行うＡＦモードを有してもよく、撮像装置１０のモード切替機能でＭＦモードとＡＦモードを切替え可能に構成してもよい。
【０１０５】
本技術の実施の形態は、上述した実施の形態に限定されるものではなく、本技術の要旨を逸脱しない範囲において種々の変更が可能である。
【０１０６】
本技術は以下のような構成も取ることができる。
（１）
フォーカス調整用レンズを含むレンズ部と、
前記フォーカス調整用レンズをその可動領域に亘って駆動させる制御部と、
前記制御部に対して、前記フォーカス調整用レンズを駆動させるための指示操作を受け付ける操作受付部と
を備え、
前記操作受付部は、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別して受け付ける
撮像装置。
（２）
前記操作受付部は、前記フォーカス調整用レンズをその可動領域で第１の段階数で移動させる第１の指示操作と、前記フォーカス調整用レンズを前記可動領域で前記第１の段階数より多い第２の段階数であって予め設定されている位置に移動させる第２の指示操作とを区別してユーザから受け付ける
前記（１）に記載の撮像装置。
（３）
前記制御部は、前記操作受付部により、前記第２の指示操作が受け付けられた場合、前記フォーカス調整用レンズの移動方向に拘わりなく予め設定されている位置に前記フォーカス調整用レンズを移動させる
前記（１）または（２）に記載の撮像装置。
（４）
前記制御部は、前記操作受付部により、前記第２の指示操作が受け付けられた場合、前記フォーカス調整用レンズの移動方向に応じて予め設定されている異なる位置に前記フォーカス調整用レンズを移動させる
前記（１）または（２）に記載の撮像装置。
（５）
前記操作受付部は、前記撮像装置の筐体に設けられた複数の押しボタンを有する
前記（１）から（４）のいずれかに記載の撮像装置。
（６）
前記操作受付部は、前記撮像装置の筐体に設けられた前記第１の指示操作を入力する左右ボタンと、前記第２の指示操作を入力する上下ボタンを有する
前記（１）から（４）のいずれかに記載の撮像装置。
（７）
前記操作受付部は、前記撮像装置との間で接続が確立されている情報処理装置である
前記（１）から（４）のいずれかに記載の撮像装置。
（８）
前記操作受付部は、前記情報処理装置のディスプレイと、前記ディスプレイに積層されたタッチパネルを有する
前記（７）に記載の撮像装置。
（９）
前記操作受付部は、前記タッチパネルに対するタッチ操作を前記第１の指示操作として受け付け、長押し操作を前記第２の指示操作として受け付ける
前記（８）に記載の撮像装置。
（１０）
前記操作受付部は、前記ディスプレイに表示された第１のボタンに対する操作を前記第１の指示操作として受け付け、前記ディスプレイに表示された前記第１のボタンとは異なる第２のボタンに対する操作を前記第２の指示操作として受け付ける
前記（８）に記載の撮像装置。
（１１）
フォーカス調整用レンズを含むレンズ部と、
前記フォーカス調整用レンズをその可動領域に亘って駆動させる制御部と、
前記制御部に対して、前記フォーカス調整用レンズを駆動させるための指示操作を受け付ける操作受付部と
を備える撮像装置のフォーカス制御方法において、
前記操作受付部による、前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作とを区別して受け付ける受付ステップと、
前記制御部による、前記操作受付部によって前記第１の指示操作が受け付けられた場合には、前記フォーカス調整用レンズを前記第１の段階数で移動させ、前記操作受付部によって前記第２の指示操作が受け付けられた場合には、前記フォーカス調整用レンズを前記第２の段階数で移動させる移動ステップと
を含むフォーカス制御方法。
（１２）
撮像装置に対して、前記撮像装置が備えるフォーカス調整用レンズを駆動させるための指示操作であって、情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数で移動させる第２の指示操作を区別してユーザから受け付け、
ユーザから受け付けた前記第１および第２の指示操作に対応するコマンドを前記撮像装置に送信するよう前記情報処理装置に指示する
プログラム。
（１３）
前記情報処理装置に対して行われる前記フォーカス調整用レンズをその可動領域内で第１の段階数で移動させる第１の指示操作と、前記フォーカス調整用レンズをその可動領域内で前記第１の段階数より多い第２の段階数であって予め設定されている位置に移動させる第２の指示操作とを区別してユーザから受け付ける
前記（１２）に記載のプログラム。
（１４）
前記情報処理装置のディスプレイに積層されたタッチパネルへのユーザ操作を受け付ける
前記（１２）または（１３）に記載のプログラム。
（１５）
前記タッチパネルに対するタッチ操作を前記第１の指示操作として受け付け、長押し操作を前記第２の指示操作として受け付ける
前記（１４）に記載のプログラム。
（１６）
前記ディスプレイに表示された第１のボタンに対する操作を前記第１の指示操作として受け付け、前記ディスプレイに表示された前記第１のボタンとは異なる第２のボタンに対する操作を前記第２の指示操作として受け付ける
前記（１４）に記載のプログラム。
【符号の説明】
【０１０７】
１０  撮像装置，  １１  レンズ部，  １２  表示部，  １３  操作部，  ２１  撮像素子，  ２２  画像処理部，  ２３  記録部，  ２４  制御部，  ２５  通信部，  ３０  情報処理装置，  ６１  操作ボタンの案内，  ６２  ＭＦ距離バー，  ６３  拡大領域表示部，  １０１  CPU，  １２１  ライブビュー画像，  １２２  ＭＦ距離調整ボタン，  １２３  ＭＦ距離バー，  １２４  シャッタボタン
【図１】
2018092594.tif 000003
【図２】
2018092594.tif 000004
【図３】
2018092594.tif 000005
【図４】
2018092594.tif 000006
【図５】
2018092594.tif 000007
【図６】
2018092594.tif 000008
【図７】
2018092594.tif 000009
【図８】
2018092594.tif 000010
【図９】
2018092594.tif 000011
【図１０】
2018092594.tif 000012
【図１１】
2018092594.tif 000013
【図１２】
2018092594.tif 000014
【図１３】
2018092594.tif 000015
【図１４】
2018092594.tif 000016
【図１５】
2018092594.tif 000017
【国際調査報告】
2018092594.tif 000018
2018092594.tif 000019
2018092594.tif 000020
2018092594.tif 000021